(57)【要約】【課題】ヘッドボード、フットボード、サイドボードに板材、特に木材を使用することができ、使用しないときにはコンパクトに折り畳むことができる折り畳みベッドを提供する。【解決手段】対向配置される一対のヘッドボード１１及びフットボード１２と、該ヘッドボード１１及びフットボード１２の両側端部間に対向配置される一対のサイドボード１３，１３とを備え、前記サイドボード１３を、その長手方向を複数の分割ボード１４ａ，１４ｂに分割形成し、分割ボードの分割部間を屈曲可能に連結するとともに、分割ボードとヘッドボードとの連結部及び分割ボードとフットボードとの連結部を、分割ボードがベッド内側に向けて屈曲可能に連結する。【選択図】図１
0003129909.tif 000002
【実用新案登録請求の範囲】
【請求項１】
対向配置される一対のヘッドボード及びフットボードと、該ヘッドボード及びフットボードの両側端部間に対向配置される一対のサイドボードとを備え、前記サイドボードを、その長手方向を複数の分割ボードに分割形成し、分割ボードの分割部間を屈曲可能に連結するとともに、分割ボードとヘッドボードとの連結部及び分割ボードとフットボードとの連結部を、分割ボードがベッド内側に向けて屈曲可能に連結したことを特徴とする折り畳みベッド。
【請求項２】
前記サイドボードを４枚の同じ長さの分割ボードに分割し、長手方向中央部の連結部をベッド外側を凸にして屈曲可能に連結し、両端の分割ボードとこれに隣接する分割ボードとの連結部をベッド内側を凸にして屈曲可能に連結したことを特徴とする請求項１記載の折り畳みベッド。
【請求項３】
前記サイドボードを２枚の同じ長さの分割ボードに分割するとともに、一方のサイドボードにおける分割ボードとヘッドボードの側端部とは、ヘッドボードの側端部からサイドボード方向に少なくとも分割ボード２枚分の長さ分突出させた連結片を介して連結し、他方のサイドボードにおける分割ボードとフットボードの側端部とは、フットボードの側端部からサイドボード方向に少なくとも分割ボード２枚分の長さ分突出させた連結片を介して連結したことを特徴とする請求項１記載の折り畳みベッド。
【請求項４】
前記分割ボードとヘッドボードとの連結部及び分割ボードとフットボードとの連結部を着脱可能に形成したことを特徴とする請求項１乃至３のいずれか１項記載の折り畳みベッド。
【請求項５】
前記対向する分割ボードの上部を連結して組立状態を保持するサイドボード保持部材を着脱可能に備えていることを特徴とする請求項１乃至４のいずれか１項記載の折り畳みベッド。
【請求項６】
前記各分割ボードは、その内側面にベッド床を支持する床受部を備えていることを特徴とする請求項１乃至５のいずれか１項記載の折り畳みベッド。
【請求項７】
前記ヘッドボード、フットボード及びサイドボードの少なくとも一つに通気部を形成するとともに、ベッド床に通気性を有するすのこを用いたことを特徴とする請求項１乃至５のいずれか１項記載の折り畳みベッド。
【考案の詳細な説明】
【技術分野】
【０００１】
本考案は、折り畳みベッドに関し、詳しくは、板材を使用可能な構造を有する折り畳みベッドに関するものである。
【背景技術】
【０００２】
従来から各種構造の折り畳みベッドが提案され、使用されてきているが、そのほとんどが金属製フレームを屈曲可能に連結したものであった（例えば、特許文献１参照。）。
【特許文献１】特開２００５−２８０００号公報
【考案の開示】
【考案が解決しようとする課題】
【０００３】
しかし、金属製フレームを使用した折り畳みベッドは、病院のベッドを連想するため、一般家庭の寝室での使用には大きな抵抗感があった。
【０００４】
そこで本考案は、ヘッドボード、フットボード、サイドボードに板材、特に木材を使用することができ、使用しないときにはコンパクトに折り畳むことができる折り畳みベッドを提供することを目的としている。
【課題を解決するための手段】
【０００５】
本考案の折り畳みベッドは、対向配置される一対のヘッドボード及びフットボードと、該ヘッドボード及びフットボードの両側端部間に対向配置される一対のサイドボードとを備え、前記サイドボードを、その長手方向を複数の分割ボードに分割形成し、分割ボードの分割部間を屈曲可能に連結するとともに、分割ボードとヘッドボードとの連結部及び分割ボードとフットボードとの連結部を、分割ボードがベッド内側に向けて屈曲可能に連結したことを特徴としている。
【０００６】
また、本発明の折り畳みベッドにおける折り畳み構造の一つは、前記サイドボードを４枚の同じ長さの分割ボードに分割し、長手方向中央部の連結部をベッド外側を凸にして屈曲可能に連結し、両端の分割ボードとこれに隣接する分割ボードとの連結部をベッド内側を凸にして屈曲可能に連結したことを特徴としている。
【０００７】
さらに他の折り畳み構造は、前記サイドボードを２枚の同じ長さの分割ボードに分割するとともに、一方のサイドボードにおける分割ボードとヘッドボードの側端部とは、ヘッドボードの側端部からサイドボード方向に少なくとも分割ボード２枚分の長さ分突出させた連結片を介して連結し、他方のサイドボードにおける分割ボードとフットボードの側端部とは、フットボードの側端部からサイドボード方向に少なくとも分割ボード２枚分の長さ分突出させた連結片を介して連結したことを特徴としている。
【０００８】
また、このような折り畳みベッドにおいて、前記分割ボードとヘッドボードとの連結部及び分割ボードとフットボードとの連結部は着脱可能に形成することができる。さらに、前記対向する分割ボードの上部を連結して組立状態を保持するサイドボード保持部材を着脱可能に備えていることが好ましく、前記各分割ボードは、その内側面にベッド床を支持する床受部を備えていることが好ましい。また、前記ヘッドボード、フットボード及びサイドボードの少なくとも一つに通気部を形成するとともに、ベッド床に通気性を有するすのこを用いることによって通気性を確保することができる。
【考案の効果】
【０００９】
本考案の折り畳みベッドによれば、各ボードを板材、例えば木材、合板等で形成できるので、使用時には通常のベッドと同じような外観となり、一般家庭の寝室で使用しても違和感を感じることがない。また、不要時にはコンパクトに折り畳むことができるので、客人用としても最適である。
【考案を実施するための最良の形態】
【００１０】
図１乃至図６は本考案の折り畳みベッドの第１形態例を示すもので、図１はベッド枠を組み立てた状態を示す斜視図、図２から図４は折り畳む手順を示す斜視図、図５及び図６は本考案の折り畳みベッドに適した構造を有するベッド床の一例を示すもので、図５は表側から見た斜視図、図６は裏側から見た斜視図である。
【００１１】
本形態例に示す折り畳みベッドは、１枚の板材からなる一対のヘッドボード１１及びフットボード１２と、対向配置されたヘッドボード１１及びフットボード１２の両側端部間に対向配置される一対のサイドボード１３，１３とを備えている。各サイドボード１３は、長手方向が４枚の同じ長さの分割ボード１４ａ，１４ｂに分割形成されており、各分割ボード１４ａ，１４ｂ間の連結部及び分割ボード１４ｂ，１４ｂ間の連結部は、ヒンジ１５ａ，１５ｂによってそれぞれ屈曲可能に連結されている。
【００１２】
両端の分割ボード１４ａとヘッドボード１１との連結部及び分割ボード１４ａとフットボード１２との連結部は、ヒンジ軸が抜き差し可能な構造を有するヒンジ１６によってそれぞれ着脱可能に連結され、各ヒンジ１６は、ヘッドボード１１あるいはフットボード１２に連結された分割ボード１４ａがベッド内側に向けて、すなわち、各分割ボード１４ａがヘッドボード１１あるいはフットボード１２と重なり合うように屈曲可能となっている。
【００１３】
また、長手方向中央部の分割ボード１４ｂ，１４ｂの連結部は、前記ヒンジ１５ａによってベッド外側を凸にして屈曲可能に連結されており、両端の分割ボード１４ａとこれに隣接する分割ボード１４ｂとは、前記ヒンジ１５ｂによってベッド内側を凸にして屈曲可能に連結されている。
【００１４】
さらに、対向する分割ボード１４ｂ，１４ｂには、両分割ボード１４ｂ，１４ｂの上部を連結して組立状態を保持する金属製の細い棒材からなるサイドボード保持部材１７を着脱可能に装着するための装着穴がそれぞれ設けられている。
【００１５】
各ボード１１，１２，１３の内、少なくともサイドボード１３，１３を構成する分割ボード１４ａ，１４ｂの内側面には、ベッド床１８を支持するための床受部１９が設けられている。この床受部１９の高さは、組み立て後のベッド枠にベッド床１８を組み込んだときに、少なくともサイドボード１３の上面とベッド床１８の上面とが面一になるように設定されている。
【００１６】
また、各ボード１１，１２，１３の下部には、ベッド枠内外を連通させる通気部２０が切り欠き形成されており、ベッド床１８には、ベッド幅方向に設けられた枠材２１ａ及び裏面側の桟２１ｂと、ベッド長手方向に設けられた表面側の床材２１ｃとを組み合わせた通気性を有する４枚のすのこ２１を用意し、４枚のすのこ２１の長手方向両端を床受部１９に載せて並べて設置するようにしている。さらに、枠材２１ａの下部には、ベッド床１８を建物床面に直接置いたときの通気性を得るための通気部２１ｄがそれぞれ切り欠き形成されている。
【００１７】
ベッド枠を折り畳む順序は、まず、ベッド枠からベッド床１８を外した後、図２に示すように、２本のサイドボード保持部材１７をサイドボード１３から取り外す。そして、図
３に示すように、ヘッドボード１１及びフットボード１２に隣接する両端の分割ボード１４ａをベッド内側に向けて折り畳むとともに、中央の分割ボード１４ｂ，１４ｂの連結部をベッド外側を凸にして屈曲させる。
【００１８】
このようにして折り畳むことにより、図４に示すように、ヘッドボード１１とフットボード１２との間に折り畳まれた分割ボード１４ａ，１４ｂが挟み込まれた状態になる。通常のシングルサイズのベッドを折り畳んだ場合、ヘッドボード１１及びフットボード１２の幅寸法、高さ寸法である幅１１０〜１２０ｃｍ、高さ２０〜４０ｃｍに、折り畳み厚さが約２０ｃｍにまとめることができる。さらに、前記ヒンジ１６のヒンジ軸を抜き取ることにより、ヘッドボード１１とフットボード１２と折り畳んだサイドボード１３，１３に４分割することができ、持ち運びや収納を容易に行うことができる。ベッド枠を組み立てる際には、上記手順を逆にしてヘッドボード１１とフットボード１２とを離間させるようにするだけでよい。
【００１９】
また、ヘッドボード１１やフットボード１２、サイドボード１３の下部の適当な位置にキャスターを取り付けておくこともでき、ヘッドボード１１をフットボード１２より高く形成したりすることも可能である。
【００２０】
図７及び図８は本考案の折り畳みベッドの第２形態例を示すもので、図７はベッド枠の折り畳み途中の状態を示す斜視図、図８はベッド枠を折り畳んだ状態を示す斜視図である。なお、以下の説明において、前記第１形態例に示した各構成要素と同一の構成要素には、それぞれ同一符号を付して詳細な説明は省略する。
【００２１】
本形態例に示すベッド枠は、サイドボード１３を２枚の同じ長さの分割ボード３１ａ，３１ｂに分割して分割部をヒンジ１５ｃで連結するとともに、一方のサイドボードにおける分割ボード３１ａとヘッドボード１１の側端部とは、ヘッドボード１１の側端部からサイドボード方向に少なくとも分割ボード２枚分の長さ分突出させた連結片３２ａを介してヒンジ３３ａにて連結し、他方のサイドボードにおける分割ボード３１ｂとフットボード１２の側端部とは、フットボード１２の側端部からサイドボード方向に少なくとも分割ボード２枚分の長さ分突出させた連結片３２ｂを介してヒンジ３３ｂにて連結している。
【００２２】
折り畳む際には、ヘッドボード側の分割ボード３１ａをヘッドボード１１の内面に向けて折り畳むとともに、フットボード側の分割ボード３１ｂをフットボード１２の内面に向けて折り畳むようにする。これにより、図８に示すように、連結片３２ａ，３２ｂの内側に折り畳んだ分割ボード３１ａ，３１ｂがそれぞれ収納された状態となる。
【００２３】
なお、その他の構成要素は、前記第１形態例に示した各構成要素と同一に構成することができるので、同一構成要素には、それぞれ同一符号を付して詳細な説明は省略する。
【図面の簡単な説明】
【００２４】
【図１】本考案の第１形態例を示すもので、折り畳みベッドにおけるベッド枠を組み立てた状態を示す斜視図である。
【図２】ベッド枠からサイドボード保持部材を外した状態を示す斜視図である。
【図３】ベッド枠の折り畳み途中の状態を示す斜視図である。
【図４】折り畳んだ状態のベッド枠を示す斜視図である。
【図５】ベッド床を表側から見た斜視図である。
【図６】ベッド床を裏側から見た斜視図である。
【図７】本考案の第２形態例を示すもので、ベッド枠の折り畳み途中の状態を示す斜視図である。
【図８】同じく折り畳んだ状態のベッド枠を示す斜視図である。
【符号の説明】
【００２５】
１１  ヘッドボード
１２  フットボード
１３  サイドボード
１４ａ，１４ｂ  分割ボード
１５ａ，１５ｂ，１５ｃ  ヒンジ
１６  ヒンジ
１７  サイドボード保持部材
１８  ベッド床
１９  床受部
２０  通気部
２１  すのこ
２１ａ  枠材
２１ｂ  桟
２１ｃ  床材
２１ｄ  通気部
３１ａ，３１ｂ  分割ボード
３２ａ，３２ｂ  連結片
３３ａ，３３ｂ  ヒンジ
【図１】
0003129909.tif 000003
【図２】
0003129909.tif 000004
【図３】
0003129909.tif 000005
【図４】
0003129909.tif 000006
【図５】
0003129909.tif 000007
【図６】
0003129909.tif 000008
【図７】
0003129909.tif 000009
【図８】
0003129909.tif 000010